(57)【特許請求の範囲】
【請求項１】
第１の支持構造によって支持される複数のキー；及び
前記第１の支持構造に回動結合部を用いて回動可能に結合される第２の支持構造によって支持されるキーのセット；を有し、
前記第２の支持構造は、前記第２の支持構造に加えられる力に反応して、前記第１の支持構造と実質的に同一面の第１の位置から第２の非同一面の位置に前記回動結合部周りに回転するように構成され、
前記第２の支持構造は、２以上の前記キーのセットの間で前記第２の支持構造に又は２以上の前記キーのセットの間の１又は複数のスペーサに、加えられる力に反応して前記第１の位置から前記第２の非同一面の位置に回転するように構成される、
可倒式キーボード装置。
【請求項２】
前記第２の支持構造は、前記回動結合部に配置された付勢部材によって加えられる力に反応して、前記第２の非同一面の位置から前記第１の位置に回転するように構成される、
請求項１に記載の可倒式キーボード装置。
【請求項３】
前記回動結合部はヒンジを有し、前記付勢部材はバネを有する、
請求項２に記載の可倒式キーボード装置。
【請求項４】
前記第２の支持構造を前記第１の位置に保持するように配置される、１又は複数の磁石を有する、
請求項１乃至３のいずれか１項に記載の可倒式キーボード装置。
【請求項５】
前記１又は複数の磁石は、前記第２の支持構造を前記第２の非同一面の位置に回転させるように２以上の前記キーのセットの間に加えられる力より小さい磁力を発生させるように構成される、
請求項４に記載の可倒式キーボード装置。
【請求項６】
前記第１及び前記第２の支持構造を支持するように構成されるベース構造を有し、前記ベース構造は、前記第２の非同一面の位置において前記第２の支持構造の過回転を防ぐように構成される、
請求項１乃至５のいずれか１項に記載の可倒式キーボード装置。
【請求項７】
コンピューティングデバイスであって：
ハウジングの側部に配置される入力デバイスを有する、ハウジング；及び
ヒンジによって前記ハウジングに結合されるリッドであって、前記リッドは前記リッドの側部に配置されるデジタルディスプレイを有する、リッド；を有し、
前記コンピューティングデバイスは、ノートブック形態とタブレット形態との間で可変であり、前記コンピューティングデバイスが前記タブレット形態に配置されるとき、前記入力デバイスの一部は、前記ヒンジを収容するように移動可能に構成される、
コンピューティングデバイス。
【請求項８】
前記ノートブック形態は、前記入力デバイス及び前記ディスプレイがアクセス可能である形態を有し、前記タブレット形態は、前記ディスプレイがアクセス可能であるとともに前記リッドのもう一方の側部が前記入力デバイスを実質的に隠すように配置される形態を有する、
請求項７に記載のコンピューティングデバイス。
【請求項９】
前記ヒンジは、第１の端部において前記ハウジングに回動可能に結合されるとともに第２の端部において前記リッドに回動可能に結合される、
請求項７又は８に記載のコンピューティングデバイス。
【請求項１０】
前記入力デバイスは、
第１の支持構造によって支持される複数のキー；及び
前記第１の支持構造に回動結合部を用いて回動可能に結合される第２の支持構造によって支持されるキーのセット；を有する、
キーボードを有し；
前記第２の支持構造は、前記ヒンジによって前記第２の支持構造に加えられる力に反応して、前記第１の支持構造と実質的に同一面の第１の位置から第２の非同一面の位置に前記回動結合部の周りに回転するように構成される、
請求項７乃至９のいずれか１項に記載のコンピューティングデバイス。
【請求項１１】
前記第２の支持構造は、２以上の前記キーのセットの間で前記第２の支持構造に又は２以上の前記キーのセットの間の１又は複数のスペーサに、前記ヒンジによって加えられる力に反応して、前記タブレット形態において前記第１の位置から前記第２の非同一面の位置に回転するように構成される、
請求項１０に記載のコンピューティングデバイス。
【請求項１２】
前記第２の支持構造は、前記回動結合部に配置された付勢部材によって加えられる力に反応して、前記ノートブック形態において前記第２の非同一面の位置から前記第１の位置に回転するように構成される、
請求項１０又は１１に記載のコンピューティングデバイス。
【請求項１３】
前記第２の支持構造は、前記タブレット形態において前記複数のキーによって定められる平面の下に前記ヒンジを収容するように、前記ヒンジから離れて回転するように構成される、
請求項１０乃至１２のいずれか１項に記載のコンピューティングデバイス。
【請求項１４】
前記第２の支持構造を前記ノートブック形態において前記第１の位置に保持するように配置される、１又は複数の磁石を有し、前記１又は複数の磁石は、前記タブレット形態において前記ヒンジによって加えられる力より小さい磁力を発生するように構成される、
請求項１０乃至１３のいずれか１項に記載のコンピューティングデバイス。
【請求項１５】
前記ノートブック形態において前記第２の支持構造を前記第１の位置に支持するためにロッキングバーを作動させるように構成されるリンク機構を有する、
請求項１０乃至１４のいずれか１項に記載のコンピューティングデバイス。
【請求項１６】
前記ハウジングの側部に配置されたポインティングデバイスを有する第２の入力デバイスを有する、
請求項１０乃至１５のいずれか１項に記載のコンピューティングデバイス。
【請求項１７】
第１の支持構造によって支持される複数のキーを、第２の支持構造によって支持されるキーのセットに回動結合部を用いて回動可能に結合されるように構成するステップ；及び
前記第２の支持構造を、前記第１の支持構造と実質的に同一面の第１の位置に付勢されるように構成するステップ；を有し、
前記第２の支持構造は、前記第２の支持構造に加えられる力に反応して前記第１の位置から第２の非同一面の位置に前記回動結合部周りに回転し、
前記第２の支持構造は、２以上の前記キーのセットの間で前記第２の支持構造に又は２以上の前記キーのセットの間の１又は複数のスペーサに、加えられる力に反応して前記第１の位置から前記第２の非同一面の位置に回転する、
方法。
【請求項１８】
前記第２の支持構造は、コンピューティングデバイスがタブレット形態に配置されるとき、前記第１の位置から前記第２の非同一面の位置に回転し、前記第２の支持構造は、前記コンピューティングデバイスがノートブック形態に配置されるとき、前記第２の非同一面の位置から前記第１の位置に回転し、前記第２の支持構造は、前記コンピューティングデバイスが前記タブレット形態に配置されるとき、リッドを前記コンピューティングデバイスのハウジングに結合するように構成された１又は複数のヒンジから離れて、前記複数のキーによって定められる平面の下に前記１又は複数のヒンジを収容するように、回転する、
請求項１７に記載の方法。
【請求項１９】
請求項１７又は１８に記載の方法を実行するための手段を有する装置。
【発明の詳細な説明】
【背景技術】
【０００１】
最新のコンピュータシステムは、サイズ、形状及び機能性で発展し続けている。特に、コンピューティングデバイスは、機能性を増加させ続けながらサイズを減少させ続けている。例えば、薄い又は極薄のプラットフォーム設計でコンピューティングシステムを設計することは、増大する重視すべき事項になっている一方、これらの同じシステムが多くの異なる構成で機能することが期待されている。さらに、薄い設計に加えて、最新のコンピューティングシステム設計はまた、機能的かつ審美的に魅力的であることが期待されている。従来のコンピューティングシステムは、キーボード及び他の入力装置を含む。これらの装置は、プラットフォーム設計の貴重なスペースを占め、従来、コンピュータシステムの設計を制限している。したがって、コンピューティングシステムのための可倒式キーボードに対する必要性が存在する。
【図面の簡単な説明】
【０００２】
【図１Ａ】第１の装置の１つの実施形態を示す。
【図１Ｂ】第２の装置の１つの実施形態を示す。
【図１Ｃ】第３の装置の１つの実施形態を示す。
【図１Ｄ】第４の装置の１つの実施形態を示す。
【図２Ａ】第５の装置の１つの実施形態を示す。
【図２Ｂ】第６の装置の１つの実施形態を示す。
【図２Ｃ】第７の装置の１つの実施形態を示す。
【図２Ｄ】第８の装置の１つの実施形態を示す。
【図２Ｅ】第９の装置の１つの実施形態を示す。
【図２Ｆ】第１０の装置の１つの実施形態を示す。
【図３】ロジック図の１つの実施形態を示す。
【図４】システムの１つの実施形態を示す。
【発明を実施するための形態】
【０００３】
幾つかの実施形態は、概して、可倒式キーボードのための技術を対象にする。様々な実施形態は、第１の支持構造によって支持される複数のキー及び第１の支持構造に回動可能に結合される第２の支持構造によって支持される一組のキーを有する可倒式キーボードを含む技術を提供する。様々な実施形態では、第２の支持構造は、第２の支持構造に加えられる力に応答して、第１の支持構造と実質的に同一面にある第１の位置から第２の非同一面位置に回動結合部周りに回転するように構成され得る。他の実施形態が説明されるとともに請求項に記載される。
【０００４】
それらのデザインにおいて薄い又は極薄であることが目的とされる多くのシステムは、システムの１つの表面の大部分を占め得るシステムのキーボード又は他の入力デバイスによって制限される。これは特に、タブレット形態とノートブック形態との間で切り替えられるように構成されるコンバーチブルシステムに当てはまり得る。これは、１つには、コンバーチブルシステムのリッドが、適切に機能するために最少直径を必要とするヒンジ領域を必要とするという事実に起因し得る。
【０００５】
コンバーチブルシステムのリッドの背面のヒンジ領域は、リッドが閉じたタブレット形態にあるとき、キーボード領域と一致し得、結果として、キーボードの厚さ及びヒンジ領域の直径が全システム厚さの計算に一緒に加えられなければならない。多くの現在のシステムでは、リッドのヒンジ領域、又はリッドの上の他のあり得る突出部がキーボード領域と一致する場合、２つのアイテムは、互いに入れ子になることができない。言い方を変えると、この配置の従来のシステムは、互いの上に重なる構成要素を積み重ねるのにそれらが十分厚くなることが必要とされ得る。
【０００６】
幾つかの現在のキーボードの解決方法は、よりコンパクトに又はハンドヘルドデバイスに取付けるのに適するようにするために折り畳めるように設計されている。他のキーボードは、操作中により大きいキーストローク値を可能にするように、それらの全てのキーが潰れるように設計される。しかし、これらの現在の解決方法はどれも、ヒンジ領域又は閉じた又はタブレット形態のコンバーチブルコンピューティングデバイスのリッドの他の部分を収容する必要性に対処していない。
【０００７】
幾つかの現在のシステムは、これらの問題に、キーボードを動かすとともにリッドの背面のヒンジ領域を受け入れるようにデバイスのボディに溝を配置することによって対処する。この解決方法は、審美的に心地良くない場合があるとともに、他の構成要素の排除をもたらし得る。例えば、ヒンジ領域を収容するためにキーボードを動かすことによって、トラックパッド又はポインティングデバイス等の他の入力デバイスが排除され得る。様々な実施形態では、これらの及び他の問題を改善するために、様々な実施形態は、妨げにならないようヒンジ領域又は他の突出部のための場所を作るために、通常キーボードによって閉鎖される同じ領域内に入れ子になるよう、キーボードの一部が倒れる又は移動するように構成され、したがってシステムの全体の総計の厚さを減少させる、キーボードを対象にする。
【０００８】
実施形態は、１又は複数の要素を含み得る。要素は、幾つからの動作を実行するように構成された任意の構造を含み得る。各要素は、設計パラメータ又は性能の制約の与えられたセットに望まれるように、ハードウェア、ソフトウェア、又はそれらの任意の組み合わせとして実現され得る。実施形態は、例として特定の要素がある構成で説明されているが、実施形態は、代替構成の要素の他の組み合わせを含み得る。
【０００９】
本発明の「１つの実施の形態」又は「実施の形態」に対する明細書における参照は、実施の形態に関して記載される特定の特徴、構造又は特性が本発明の少なくとも１つの実施の形態に含まれることを意味する。従って、明細書を通して様々な位置に現れる記載「１つの実施の形態では」、「実施の形態では」は、必ずしも、同じ実施の形態を全て示すものではない。
【００１０】
図１Ａは、キーボード装置１００の１つの実施形態を示す。キーボード装置１００は、幾つかの実施形態においてコンピューティングシステムでの使用に適しているキーボードを含み得る。様々な実施形態では、キーボード装置１００は、コンピューティングシステムに情報を入力するために使用される英数字及びコマンドキーのセット（一式の英数字及びコマンドキー）を含み得る。図１Ａに特定の構成が示されているが、キーボード装置１００は、キーの任意の構成、形状、サイズ、数及びタイプを有することができるとともになお記載される実施形態の範囲内に入る。
【００１１】
図１Ａに示されるように、キーボード装置１００は、キー１０２及び１０６並びに支持構造１０４及び１０８等、多数の要素を含む。限られた数及び配置の構成要素が説明のために図１Ａに示されているが、キーボード装置１００は任意の数及び配置の構成要素を含み得るとともになお記載された実施形態の範囲に入り得ることが理解されるべきである。例えば、キーボード装置１００は、幾つかの実施形態では、例えば、１又は複数のマルチコアプロセッサによって実行されることになる命令を収容するメモリ、電源、入力／出力（Ｉ／Ｏ）ポート又は任意の他の適切な構成要素を追加的に含み得る。しかし、実施形態は、この図に示された要素又は構成に限定されない。キーボード装置１００のための追加的な構成要素及び関連するコンピューティングシステムの１つの実施形態が、図４を参照して以下にさらに詳細に議論される。
【００１２】
様々な実施形態では、キーボード装置１００は、互いに組み立てられる又は結合される２以上の構成要素を有し得る。様々な実施形態では、キーボード装置１００は、コンピュータシステムに強固に取付けられたままである主要部分を含み得る。この主要部分は、複数のキー１０２を支持するように配置された第１の支持構造１０４を有し得る。キーボード装置１００の第２の部分が、ヒンジピン又は何か似たようなものを介してキーボード装置１００の第１の主要部分１０４に取付けられる第２の支持構造１０８によって支持されるより小さいキー１０６のセットを有し得る。例えば、第２の支持構造１０８は、第１の支持構造１０４に回動可能に結合され得る。幾つかの実施形態では、第２の支持構造１０８はまた或いは代替的に、同様の回動運動を可能にするように、キーボード装置１００に結合されるコンピューティングプラットフォームの一部に取付けられ得る。
【００１３】
様々な実施形態では、キー１０６のセット（一式のキー）の数及び場所が、システム設計に適合するように選択される。例えば、８個のキーが図１Ａのキー１０６のセットに示されているが、任意の数のキーが、セット１０６に配置されることができるとともに、依然として記載される実施形態の範囲内に入ることが理解されるべきである。例えば、幾つかの実施形態では、キー１０６のセットは、１列のキーに限られる。他の実施形態が説明されるとともに請求項に記載される。
【００１４】
図１Ｂは、キーボード装置１４０の１つの実施形態を示す。キーボード装置１４０は、図１Ａのキーボード装置１００と同じ又は同様であり得、同様の要素は同様の番号を付けられる。様々な実施形態では、キーボード装置１４０は、複数のキー１０２を支持するように配置された第１の支持構造１０４及びキー１０６のセットを支持するように配置された第２の支持構造１０８を含む。図１Ｂに示されるように、第２の支持構造１０８は、１４２において第１の支持構造１０４に結合され得る。結合部１４２は、第２の支持構造１０８が第１の支持構造１０４に対して回転することを可能にする、ヒンジ、ヒンジピン又は他の適切な結合部（カップリング）を有し得る。
【００１５】
様々な実施形態では、支持構造１０４及び１０８は、キー１０２及び１０６を支持することができる剛体面を有し得る。例えば、支持構造１０４及び１０８は、キーボード装置１４０用の別々に形成された金属裏当てを有し得る。キー１０２及び１０６は、押されるとき又は他の方法で作動されるとき、情報の入力を許容するように構成された任意の適切なキーを含み得る。
【００１６】
図１Ｂに示される構成では、第１の支持構造１０４及び第２の支持構造１０８は、実質的に同一面の位置にある。幾つかの実施形態では、結合部１４２は、第２の支持構造１０８を図１Ｂに示される同一面の位置に支持する、バネ又は他の付勢要素を有する付勢部材を含み得る。様々な実施形態では、１又は複数の磁石１５２が、第２の支持構造を第１の位置に保持するために配置され得る。例えば、１又は複数の磁石１５２は、第１の支持構造１０４に結合され得るとともに、第２の支持構造１０８は、１又は複数の磁石１５２と磁気的に結合され得る、１又は複数の鉄の表面を含み得る。
【００１７】
幾つかの実施形態では、１又は複数の磁石１５２は、第２の支持構造１０８を第２の位置に矢印１４６によって示される方向に回転させるように２以上のキーのセットの間に加えられる力より小さい磁力を発生させるように、選択され得る又は構成され得る。様々な実施形態では、１又は複数の磁石が、所定の又は推定されるタイピング力より大きい磁力を発生させるように、選択され得る又は構成され得る。例えば、１又は複数の磁石１５２は、通常の操作及びタイピングの間は第１及び第２の支持構造１０４、１０８の分離に抗するが、力１４４に反応して第１の支持構造１０４から第２の支持構造１０８を解放するように、選択され得る。他の実施形態は、第１及び第２の支持構造１０４、１０８を取り付けるための、ソレノイド、モータ、リンク、バー又は他の手段を含み得る。実施形態は、この点に関して限定されるものではない。
【００１８】
図１Ｃは、キーボード装置１６０の１つの実施形態を示す。キーボード装置１６０は、図１Ａのキーボード装置１００及び図１Ｂのキーボード装置１４０と同じ又は同様であり得、同様の要素は同様の番号を付けられる。様々な実施形態では、キーボード装置１６０は、図１Ｂに示される力１４４に反応して、第２の支持構造１０８が図１Ｂに示される第１の支持構造１０４と実質的に同一面の第１位置から、力１４４に反応して図１Ｃに示される第２の非同一面位置に回動結合部１４２周りに回転するように構成されることを示し得る。
【００１９】
第２の支持構造は、２以上のキー１０６のセットの間の第２の支持構造に又は幾つかの実施形態では２以上のキー１０６のセットの間の１又は複数のスペーサ１６２に加えられる力１４４に反応して、図１Ｂに示される第１の位置から、図１Ｃに示される第２の位置に回転するように構成され得る。例えば、力１４４を加えるために第２の支持構造１０８に接触する器具は、キー１０６のセットに直接接触しなくてもよい。様々な実施形態では、力１４４を加えるための接触は、キー１０６のセットの間の空間又は隙間で生じ得る又はスペーサ１６２は、接触を受け止めるためにキー１０６の間に配置され得る。他の実施形態が記載されるとともに請求項に記載される。
【００２０】
様々な実施形態では、ベース構造１５０が、第１及び第２の支持構造１０４、１０８を支持するようになり得る。例えば、ベース構造１５０は、キーボード装置１００、１４０、１６０のボタン部分又はキーボード装置１００、１４０、１６０に付随するコンピューティング装置のボタン部分を有し得る。幾つかの実施形態では、ベース構造１５２は、図１Ｃに示される第２の位置の第２の支持構造１０８の過回転を防止するように配置され得る。例えば、第２の支持構造１０８は、付勢部材／結合部１４２に損傷を与え得る過回転を避けるようにベース構造１５０に接触するまで回転し得る。
【００２１】
第２の支持構造１０８は、矢印１４８によって示されるように回動結合部１４２に配置される付勢部材によって加えられる力に反応して、図１Ｃに示された第２の位置から図１Ｂに示された第１の位置に回転するように構成され得る。例えば、力１４４が取り除かれるとき、第２の支持構造は、図１Ｂに示される同一面位置に自動的に戻り得る。幾つかの実施形態では、バネ又は他の適切な構成要素は、磁石１５２又は他の適切な結合構成要素によって、第２の支持構造１０８が第１の支持構造１０４に再結合されることをもたらし得る。実施形態はこの点に関して限定されるものではない。
【００２２】
図１Ｄは、キーボード装置１８０の１つの実施形態を示す。キーボード装置１８０は、図１Ａのキーボード装置１００、図１Ｂのキーボード装置１４０及び図１Ｃのキーボード装置１６０と同じ又は同様であり得、同様の要素は同様の番号を付けられる。様々な実施形態では、キーボード装置１８０は、第２の支持構造１０８が、図１Ｂに示される第１の支持構造１０４と実質的に同一面の第１位置から、力１４４に反応して図１Ｃに示される第２の非同一面位置に、回動結合部１４２周りに回転するように構成されることを示し得る。図１Ｄに示されるように、キーボード装置１８０は、他の実施形態に示されるような多数の例よりむしろ１列のキーのセット１０６を含み得る。実施形態はこの点に関して限定されるものではない。
【００２３】
図２Ａ、２Ｂ、２Ｃ、２Ｄ及び２Ｄは、装置２００の異なる図を示す。装置２００は、タブレットコンピュータ、ハンドヘルドコンピュータ、携帯情報端末（ＰＤＡ）、携帯電話、携帯電話／ＰＤＡの組み合わせ、スマートフォン、ラップトップコンピュータ、ウルトララップトップコンピュータ、ポータブルコンピュータ、パーソナルコンピュータ（ＰＣ）、ノートブックＰＣ、ネットブックコンピュータ、タブレットコンピュータ、ポケットベル、メッセージング装置、メディアプレーヤ、デジタル音楽プレーヤ、又は様々な実施形態のコンバーチブルコンピューティングシステム等他の適切なモバイルコンピューティング装置を含み得る。ノートブック形態及びタブレット形態で動作又は構成されることができるコンバーチブルコンピューティングシステムとして以下に記載されているが、実施形態がこの点に関して限定されないことが理解されるべきである。
【００２４】
図２Ａに示されるように、コンピューティングデバイス２００は、エンクロージャ又はハウジング２０２、キーボード２０４、リッド２０６、ディスプレイ２０８、ヒンジバー２１０及びヒンジ２１２、２１４等、多数の要素を有し得る又は含み得る。説明目的のために限られた数及び配置の構成要素しか図１Ａに示されていないが、コンピューティングデバイス２００は、任意の数又は配置の構成要素を含み得るとともになお記載される実施形態の範囲内に入ることが理解されるべきである。
【００２５】
様々な実施形態では、リッド２０６は、リッド２０６がヒンジ２１２、２１４及びヒンジバー２１０を介してハウジング２０２に対して回転され得るように、ハウジング２０２に結合され得る。幾つかの実施形態では、ディスプレイ２０８は、ヒンジ２１２、２１４及びヒンジバー２１０の側と反対側のリッド２０６の第１の側部に、リッド２０６に結合され得る又はリッド２０６内に一体にされ得る。ディスプレイ２０８は、陰極線管（ＣＲＴ）、液晶ディスプレイ（ＬＣＤ）、プラズマディスプレイ、タッチスクリーンディスプレイ又は任意の他の種類のディスプレイを含み得る。他の実施形態が説明されるとともに請求項に記載される。
【００２６】
図２Ｂは、コンピューティングデバイス２００の斜視図を示す。図２Ｂに示されるように、コンピューティングデバイス２００は追加的に、キーボード２０４に加えてトラックパッド２１６又は他の入力デバイスを含み得る。図２Ｂはまた、ヒンジ２１２、２１４及びヒンジバー２１０を介したハウジング２０２及びリッド２０６の配置又は結合をより明確に示す。ヒンジ２１４は、幾つかの実施形態では、ハウジング２０２に回動可能に結合され得るとともにヒンジ２１２はリッド２０６に回動可能に結合され得、ヒンジ２１２、２１４は、ヒンジバー２１０によって離され得る。この構成では、リッド２０６はヒンジ２１２を介してヒンジバー２１０の周りに回転され得るとともに、リッド２０６及びヒンジバー２１０の組み合わせは、ヒンジ２１４を介してハウジング２０２への接続部周りに回転され得る。
【００２７】
ヒンジバー２１０は、幾つかの実施形態では、ハウジング２０２に取付けられるヒンジ２１４からヒンジ２１２においてリッド２０６の後ろ側の中間の近くの領域に延び得る。様々な実施形態では、この構成は、コンピューティングデバイス２００が、図２Ｂに示されるようなノートブック形態又は図２Ｃを参照してより詳細に示されるとともに議論されるタブレット形態で構成又は動作されることを可能にし得る。例えば、図２Ａ及び２Ｂに示される構成は、リッド２０６の底部が矢印２３０によって示される方向に動くこと、リッド２０６の上部が矢印２３２によって示される方向に動くこと並びにリッド２０６、ヒンジ２１２及びヒンジバー２１０の組み合わせが矢印２３４によって示される方向に動くことを可能にし得る。この構成及びこれらの動きに基づいて、リッド２０６は、ディスプレイ２０８及びキーボード２０４又は他の入力装置の両方がアクセス可能である図２Ａに示されるノートブック形態から、図２Ｃに示されるタブレット形態に移動され得る。
【００２８】
図２Ｃは、タブレット形態のコンピューティングデバイス２００の斜視図を示す。図２Ｃに示されるように、コンピューティングデバイス２００は、リッド２０６の後ろ側がキーボード２０４又は他の入力デバイス２１６を実質的に隠すとともにディスプレイ２０８はアクセス可能なままであるように構成され得る。幾つかの実施形態では、リッド２０６及びハウジング２０２が、組み合わさるとともにリッド２０６及びハウジング２０２の積み重ねられた又は組み合わせられた高さを最小化することが望ましい。様々な実施形態では、ヒンジ２１２を収容するために及び審美的に好ましい薄い形態を可能にするために、図１Ａ、１Ｂ及び１Ｃを参照して記載された可倒式キーボードがコンピューティングデバイス２００に組み込まれ得る。
【００２９】
図２Ｄは、可倒式キーボードがシステムに組み込まれていない場合のタブレット形態のコンピューティングデバイス２００の斜視図を示す。図２Ｄに示されるように、ヒンジ組立体２１０（ヒンジ２１２を含む）は、閉じられた、タブレット形態においてキーボード２０４と接触するようになり得、リッド２０６とハウジング２０２との間に隙間又は継ぎ目を残す。これは、好ましくない、増加したシステム高さにつながり得るとともに、結果として得られる形態は審美的に好ましくない場合がある。この審美的な懸念を取り除くために、リップが継ぎ目を覆うためにリッド２０６に加えられ得るが、この解決方法は積み重ねられた高さの問題に対処しない。結果として、可倒式キーボードをコンピューティングデバイス２００に組み込むことが望ましくなり得る。
【００３０】
図２Ｅは、可倒式キーボードがシステムに組み込まれる場合のタブレット形態のコンピューティングデバイス２００の拡大図を示す。例えば、様々な実施形態では、図１Ａ、１Ｂ及び１Ｃを参照して記載された可倒式キーボードが、ヒンジ２１２を収容するためにコンピューティングシステム２００に組み込まれ得る。
【００３１】
図２Ｆは、可倒式キーボードがシステムに組み込まれる場合のタブレット形態のコンピューティングデバイス２００の別の拡大図を示す。例えば、様々な実施形態では、図１Ａ、１Ｂ及び１Ｃを参照して記載された可倒式キーボードが、ヒンジ２１２を収容するためにコンピューティングシステム２００に組み込まれ得る。図２Ｆに示されるように、可倒式キーボードは、１つの可倒式キー又は１列の可倒式キーを含み得る。この実施形態はこの点に関して限定されるものではない。
【００３２】
幾つかの実施形態では、システム２００のリッド２０６がタブレット形態で閉じられる場合、キーボード２０４の移動する、又は倒れる、部分は、ヒンジ２１２から離れて動くことを可能にされ、したがってより多くの場所を作るとともにシステム２００の総計の積み重ねを増やさない。様々な実施形態では、リッド２０６がノートブック形態に開かれるとき、キーボード２０４の可動部１０６、１０８は、キーボード１００の主要部分１０２、１０４に対する通常位置に跳ね返る、又は持ち上げられ、通常に機能する。
【００３３】
様々な実施形態では、キーボードの第２の支持構造１０８は、図２Ｃ及び２Ｅに示されたタブレット形態において複数のキー１０２によって定められる平面の下に１又は複数のヒンジ２１２を収容するために、１又は複数のヒンジ２１２から離れて回転するように構成され得る。例えば、ヒンジ２１２は、リッド２０６がハウジング２０２にしっかりと組み合わさることを可能にするために、キー１０２の下に配置され得る。この実施形態はこの点に関して限定されるものではない。
【００３４】
第２の支持構造１０８は、回動結合部１４２に配置される付勢部材１４２によって加えられる力に反応して、第２の位置から図２Ａ及び２Ｂに示されるノートブック形態の第１の位置に回転するように構成され得る。例えば、バネ又は他の機構は、リッド２０６及びヒンジ２１２がキーボードから離れて持ち上げられるとき、第２の支持構造１０８をその同一面位置に自動的に戻させ得る。
【００３５】
幾つかの実施形態では、１又は複数の磁石１５２は、第２の支持構造１０８をノートブック形態における第１の／同一面の位置に保持するために、図１Ｂ及び１Ｃに示されるように配置され得る。例えば、１又は複数の磁石は、タブレット形態において１又は複数のヒンジ２１２によって加えられる力より小さい磁力を発生するように構成され得る。他の実施形態では、１又は複数のリンクが、ノートブック形態における第１の位置で第２の支持構造１０８を支持するために１又は複数のロッキングバーを駆動するように構成され得る。例えば、リッド２０６を動かすことは、第２の支持構造１０８を第１の／同一面の位置に保持するのに適したロッキングバー、ソレノイド、モータ又は他の機構を駆動し得る。他の実施形態が説明されるとともに請求項に記載される。
【００３６】
上述の実施形態は、多数の構成要素の積み重ねの効果を最小化しながらコンピューティングデバイスのシステム設計、機能性、人間工学及び美学を向上させるために使用され得る。様々な実施形態では、上述の技術及び実施形態は、様々な向きに配置され得る又は様々な向きで操作され得るコンバーチブルコンピューティングシステム及び他のコンピューティングデバイスに適用可能であり得る。これらの及び他の実施形態では、上述のコンバーチブルコンピューティングシステムに、記載されたような可倒式キーボードの組み込みを含むことは、全システム高さを減らし得る。このように、コンピューティングシステム設計における実質的な改善が上述の実施形態を通じて達成され得る。
【００３７】
様々な実施形態の動作がさらに以下の図及び付随する例を参照して記載され得る。一部の図はロジックフローを含み得る。図示されたロジックフローは記載された機能がどのように実装され得るかの１つの例を単に提供することが理解されることができる。さらに、与えられたロジックフローは、他に示されない限り、必ずしも示された順番で実行されなくてもよい。加えて、ロジックフローは、ハードウェア要素、プロセッサによって実行されるソフトウェア要素、又はそれらの任意の組み合わせによって実装され得る。実施形態は、この文脈に限定されるものではない。
【００３８】
図３は、ロジックフロー３００の１つの実施形態を示す。ロジックフロー３００は、様々なシステム及び／又はデバイスによって実行され得るとともに、デザインパラメータ又は性能の制約の与えられたセットに要求されるように、ハードウェア、ソフトウェア、ファームウェア、及び／又はそれらの任意の組み合わせとして実装され得る。例えば、ロジックフロー３００の１又は複数の動作は、ロジックデバイス（例えば、コンピュータ、プロセッサ）によって実行され得る、実行可能なプログラミング又は非一時的なコンピュータ可読命令によって実装され得る。ロジックフロー３００は、図１Ａ−１Ｃ及び２Ａ−２Ｅを参照して上述された実施形態の組立、製造、設計又は配置を記載し得る。他の実施形態が説明されるとともに請求項に記載される。
【００３９】
様々な実施形態では、３０２において、第１の支持構造によって支持された複数のキーが、第２の支持構造によって支持されたキーのセットに配置又は回動可能に結合され得る。例えば、第１の支持構造１０２によって支持された複数のキー１０２は、支持構造１０８によって支持されたキー１０６のセットに配置又は回動可能に結合され得る。幾つかの実施形態では、第２の支持構造は、３０４において、第１の支持構造と実質的に同一面の第１の位置に付勢されるように構成され得る。例えば、付勢部材１４２は、第１の支持構造１０４と同一面位置で第２の支持構造１０８を支持するように構成され得る。
【００４０】
様々な実施形態では、第２の支持構造は、３０６において、第２の支持構造に加えられる力に反応して、第１の位置から第２の非同一面位置に回動結合部周りに回転するように構成され得る。例えば、第２の支持構造は、コンピューティングデバイス２００のリッドが図２Ｅに示されるようなタブレット形態に配置されるとき、ヒンジ２１２によって第２の支持構造に加えらえる力に反応して、図１Ｂに示される同一面位置から図２Ｃに示される非同一面位置に回動するように構成され得る。他の実施形態が説明されるとともに請求項に記載される。
【００４１】
幾つかの実施形態では、第２の支持構造は、コンピューティングデバイスがタブレット形態に配置されるとき、第１の位置から第２の位置に回転するように構成され得る。例えば、ヒンジ２１２は、第２の支持構造を図２Ｅに示されるような非同一面位置に移動し得る又は押し付け得る。様々な実施形態では、第２の支持構造は、コンピューティングデバイスがノートブック形態に配置されるとき、第２の位置から第１の位置に回転するように構成され得る。例えば、リッド２０６が図２Ｃ及び２Ｅに示されたタブレット形態から図２Ａ及び２Ｂに示されたノートブック形態に持ち上げられるとき、付勢部材１４２又は他の適切な構成要素は、第２の支持構造を図１Ｂに示された同一面位置に自動的に動くよう作動し得る。
【００４２】
第２の支持構造は、幾つかの実施形態において、コンピューティングデバイスがタブレット形態に配置されるとき、１又は複数のヒンジを複数のキーによって定められた平面の下に収容するために、リッドをコンピューティングデバイスのハウジングに結合するように構成された１又は複数のヒンジから離れて回転するように構成され得る。例えば、図２Ｅに示されるように、ヒンジ２１２は、ヒンジ２１２がキー１０２の上部によって定められる平面の下の近くにあることを可能にする第２の支持構造１０８の移動によって収容され得る。この構成は、リッドがハウジング２０２に接近し且つしっかりと組み合わさることを可能にし得るとともに、全システム厚さを減らし得る。他の実施形態が説明されるとともに請求項に記載される。
【００４３】
図４は例示的なシステムの実施形態の略図である。特に、図４は、システム４００を示す略図であり、このシステムは様々な要素を含み得る。例えば、図４は、システム４００が、プロセッサ４０２、チップセット４０４、入力／出力（Ｉ／Ｏ）デバイス４０６、ランダムアクセスメモリ（ＲＡＭ）（例えばダイナミックＲＡＭ（ＤＲＡＭ）等）４０８、リードオンリーメモリ（ＲＯＭ）４１０、及び様々なプラットフォーム構成要素４１４（例えば、ファン、クロスフローブロワ、ヒートシンク、ＤＴＭシステム、冷却システム、ハウジング、ベント、その他）含み得ることを示す。これらの要素は、ハードウェア、ソフトウェア、ファームウェア、又はそれらの任意の組み合わせで実装され得る。しかし、実施形態は、これらの要素に限定されるものではない。
【００４４】
特に、プラットフォーム構成要素４１４は、様々な熱管理技術を実装する冷却システムを含み得る。冷却システムはシステム４００用に大きさを設定され得るとともに、ヒートパイプ、熱リンク、熱トランスファー、熱スプレッダ、ベント、ファン、ブロワ、クロスフローブロワ及び液体ベースの冷却剤等、放熱を実行するように設計された任意の冷却要素を含み得る。
【００４５】
図４に示されるように、Ｉ／Ｏデバイス４０６、ＲＡＭ４０８、及びＲＯＭ４１０は、チップセット４０４経由でプロセッサ４０２に結合される。チップセット４０４は、バス４１２によってプロセッサ４０２に結合され得る。したがって、バス４１２は多数の導線を含み得る。
【００４６】
プロセッサ４０２は、１又は複数のプロセッサコアを有する中央処理ユニットであり得る及び任意の数のプロセッサコアを有する任意の数のプロセッサを含み得る。プロセッサ４０２は、例えば、ＣＰＵ、マルチプロセッシングユニット、縮小命令セットコンピュータ（ＲＩＳＣ）、パイプラインを有するプロセッサ、複雑命令セットコンピュータ（ＣＩＳＣ）、デジタルシグナルプロセッサ（ＤＳＰ）、その他等、任意のタイプの処理ユニットを含み得る。
【００４７】
図示されていないが、システム４００は、例えば、イーサネット（登録商標）インターフェース及び／又はユニバーサルシリアルバス（ＵＳＢ）インターフェース等のような、様々なインターフェース回路を含み得る。幾つかの例示的な実施形態では、Ｉ／Ｏデバイス４０６は、システム４００にデータ及びコマンドを入力するためにインターフェース回路に接続された、１又は複数の入力デバイスを有し得る。例えば、入力デバイスは、キーボード、マウス、タッチスクリーン、トラックパッド、トラックボール、アイソポイント、音声認識システム、及び／又は同様のものを含み得る。同様に、Ｉ／Ｏデバイス４０６は、オペレータに情報を出力するためにインターフェース回路に接続された、１又は複数の出力デバイスを有し得る。例えば、出力デバイスは、必要に応じて、１又は複数のディスプレイ、プリンタ、スピーカ及び／又は他の出力デバイスを含み得る。例えば、出力デバイスの１つは、ディスプレイであり得る。ディスプレイは、陰極線管（ＣＲＴ）、液晶ディスプレイ（ＬＣＤ）、又は任意のタイプのディスプレイであり得る。
【００４８】
システム４００はまた、ネットワークへの接続を介して他のデバイスとデータを交換するための有線又は無線ネットワークインターフェースを有し得る。ネットワーク接続は、例えば、イーサネット接続、デジタル加入者回線（ＤＳＬ）、電話回線、同軸ケーブル等、任意のタイプのネットワーク接続であり得る。ネットワークは、インターネット、電話回線網、ケーブルネットワーク、ワイヤレスネットワーク、パケット交換網、回路交換網、及び／又は同様のもの等、任意のタイプのネットワークであり得る。
【００４９】
多くの具体的詳細が、実施形態の完全な理解を提供するために示された。しかし、、これらの具体的詳細がなくとも、実施形態が実施され得ることが当業者によって理解されるであろう。他の例では、実施形態を不明瞭にしないように、よく知られた動作、構成要素及び回路は、詳細には記載されていない。ここに開示される特定の構造的及び機能的な詳細は代表例であり得るとともに必ずしも実施形態の範囲を限定するものではないことが、理解される。
【００５０】
様々な実施形態は、ハードウエア要素、ソフトウエア要素、又は両方の組合せを用いて実現され得る。ハードウエア要素の例は、プロセッサ、マイクロプロセッサ、回路、回路要素（例えば、トランジスタ、抵抗、キャパシタ、インダクタ等）、集積回路、特定用途向け集積回路（ＡＳＩＣ）、プログラム可能論理デバイス（ＰＬＤ）、デジタルシグナルプロセッサ（ＤＳＰ）、フィールドプログラマブルゲートアレイ（ＦＰＧＡ）、論理ゲート、レジスタ、半導体装置、チップ、マイクロチップ、チップセット等を含み得る。ソフトウエアの例は、ソフトウェアコンポーネント、プログラム、アプリケーション、コンピュータプログラム、アプリケーションプログラム、システムプログラム、マシンプログラム、オペレーティングシステムソフトウェア、ミドルウェア、ファームウェア、ソフトウェアモジュール、ルーチン、サブルーチン、関数、メソッド、プロシージャ、ソフトウェアインターフェース、アプリケーションプログラムインターフェース（ＡＰＩ）、命令セット、コンピューティングコード、コンピュータコード、コードセグメント、コンピュータコードセグメント、ワード、値、シンボル、又はそれらの任意の組み合わせを含み得る。実施形態がハードウエア要素及び／又はソフトウエア要素を用いて実装されるかどうかの決定は、例えば、要求される計算速度、電力レベル、耐熱性、処理サイクル割当量、データ入力速度、データ出力速度、メモリリソース、データバス速度及び他の設計上又は性能上の制約等、任意の数の要因に従って変化し得る。
【００５１】
幾つかの実施形態は、「結合された」及び「接続された」という表現並びにそれらの派生語を用いて記載され得る。これらの用語は、お互いの同義語として意図されていない。例えば、幾つかの実施形態は、２以上の要素が、直接物理的又は電気的にお互いに接触することを示すために、用語「接続された」及び／又は「結合された」を用いて記載され得る。しかし、用語「結合された」は、２以上の要素が互いに直接接触しないが、なお互いに協働又は相互作用することも意味し得る。
【００５２】
幾つかの実施形態は、例えば、機械可読又はコンピュータ可読媒体又は物品を用いて実装され得る。この媒体又は物品は、機械又はプロセッサによって実行される場合、機械又はプロセッサに実施形態に従う方法及び／又は動作を実行させ得る、命令、命令のセット又はコンピュータ実行可能コードを格納し得る。このような機械は、例えば、任意の適切な処理プラットフォーム、コンピューティングプラットフォーム、コンピューティングデバイス、処理デバイス、コンピューティングシステム、処理システム、コンピュータ、プロセッサ等を含み得るとともに、ハードウエア及び／又はソフトウエアの任意の適切な組み合わせを用いて実現され得る。機械可読媒体又は物品は、例えば、任意の適切な種類のメモリユニット、メモリデバイス、メモリアーティクル、メモリ媒体、ストレージデバイス、ストレージアーティクル、ストレージ媒体及び／又は、例えば、メモリ、リムーバブル若しくは固定の媒体、消去可能な若しくは消去できない媒体、書き込み可能な若しくは再書き込み可能な媒体、デジタル若しくはアナログの媒体、ハードディスク、フロッピディスク、コンパクトディスクリードオンリーメモリ（ＣＤ−ＲＯＭ）、記録可能なコンパクトディスク（ＣＤ−Ｒ）、再書き込み可能なコンパクトディスク（ＣＤ−ＲＷ）、光学ディスク、磁気媒体、光磁気媒体、リムーバブルメモリーカード若しくはディスク、様々なタイプのデジタル多用途ディスク（ＤＶＤ）、テープ、カセット等、記憶ユニットを含み得る。命令は、任意の適切な高級、低水準、オブジェクト指向、ビジュアル、コンパイル型及び／又はインタプリタ型のプログラミング言語を使用して実装される、例えば、ソースコード、コンパイルされたコード、解釈されたコード、実行可能コード、静的コード、動的コード、暗号化されたコード等、任意の適切なタイプのコードを含み得る。
【００５３】
特に具体的に明記しない限り、例えば「処理する」、「演算する」、「計算する」、「決定する」等の用語は、コンピュータ若しくはコンピューティングシステム、又は同様の電子コンピューティングデバイスの動作及び／又は処理を示すことが十分に理解され得る。この動作及び／又は処理は、コンピューティングシステムのレジスタ及び／又はメモリの内で物理量（例えば電子的な量）として表されたデータを、コンピューティングシステムのメモリ、レジスタ若しくは他のこのような情報ストレージ、送信若しくは表示デバイス内で物理量として同様に表される他のデータに、操作又は変換する。実施形態は、この文脈に限定されない。
【００５４】
ここに記載された方法は記載された順番又は特定の順番で実行される必要がないことが、留意されるべきである。さらに、ここで特定された方法に関連して記載された様々な動作は、シリアル又はパラレル形式で、実行されることができる。
【００５５】
特定の実施形態がここに図示されるとともに説明されているが、同じ目的を達成することが予測される任意の構成が、示された特定の実施形態と置き換えられ得ることが理解されるべきである。この開示は、様々な実施形態の任意の及び全ての適応又は改変を含むことが意図される。上述の記載は、説明の形式でなされたものであり、限定するものではない。上述の実施形態の組み合わせ、及びここに具体的に記載されない他の実施形態は、上述の記載を検討することで、当業者には明らかになるであろう。したがって、様々な実施形態の範囲は、上述の組成、構造、及び方法が使用される、任意の他の応用を含む。
【００５６】
開示の要約は、読者が迅速に技術的な開示の本質を解明することができる要約を要求する、３７Ｃ．Ｆ．Ｒ．セクション１．７２（ｂ）に従って提供されることが協調される。要約は、それが請求項の範囲又は意味を解釈又は限定するために用いられないという理解の下で提出されている。加えて、前述の詳細な説明では、様々な特徴が、開示を簡素化する目的で、単一の実施形態の中にグループ化されていることが分る。この方法の開示は、権利を主張している実施形態が、それぞれの請求項の中で明示的に列挙されているよりも多くの特徴を必要とするということの意図を反映していると解釈されるべきでない。むしろ、後述の特許請求の範囲が反映するように、発明の主題は、ある単一の開示された実施形態の全ての特徴より少ないところにある。したがって、後述の特許請求の範囲は、ここに、各請求項がそれ自身別々の好適な実施形態であり、発明の詳細な説明に組み込まれる。添付の特許請求の範囲において、「含む」及び「において」という用語は、それぞれ、「有する」及び「において」という用語の平易な英語と同等のものとして用いられる。さらに、「第１の」、「第２の」及び「第３の」等の用語は、単にラベルとして用いられており、それぞれの対象に数値的な要件を課す意図はない。
【００５７】
主題は、構造的な特徴及び／又は方法上の動作に特有の言語で記載されたが、添付の特許請求の範囲において規定された主題は、必ずしも、上述された特定の特徴又は動作に限定されないことが理解されるべきである。むしろ、上述された特定の特徴及び動作は、特許請求の範囲を実現する例示的な形態として開示される。
【図１Ａ】
0005847947.tif 000002
【図１Ｂ】
0005847947.tif 000003
【図１Ｃ】
0005847947.tif 000004
【図１Ｄ】
0005847947.tif 000005
【図２Ａ】
0005847947.tif 000006
【図２Ｂ】
0005847947.tif 000007
【図２Ｃ】
0005847947.tif 000008
【図２Ｄ】
0005847947.tif 000009
【図２Ｅ】
0005847947.tif 000010
【図２Ｆ】
0005847947.tif 000011
【図３】
0005847947.tif 000012
【図４】
0005847947.tif 000013